(57)【要約】【課題】システムの負荷を過剰に増加させることなく監視結果報告のリアルタイム性に優れた動作監視装置を提供すること。【解決手段】動作監視装置は、紙葉類処理機の状態変化通知先を登録する登録手段と、前記紙葉類処理機と接続し、紙葉類処理機の状態変化を監視する監視手段と、前記監視手段による前記紙葉類処理機の状態変化の検出に基づき、前記登録手段により登録された状態変化通知先に対して検出した状態変化を通知する通知手段とを備えている。【選択図】      図１
2008090530.tif 000002
【特許請求の範囲】
【請求項１】
紙葉類処理機の状態変化通知先を登録する登録手段と、
前記紙葉類処理機と接続し、紙葉類処理機の状態変化を監視する監視手段と、
前記監視手段による前記紙葉類処理機の状態変化の検出に基づき、前記登録手段により登録された状態変化通知先に対して検出した状態変化を通知する通知手段と、
を備えたことを特徴とする動作監視装置。
【請求項２】
複数の紙葉類処理機の状態変化通知先を登録する登録手段と、
前記複数の紙葉類処理機と接続し、前記複数の紙葉類処理機の状態変化を監視する監視手段と、
前記監視手段による前記複数の紙葉類処理機の中の所定の紙葉類処理機の状態変化の検出に基づき、前記登録手段により登録された前記所定の紙葉類処理機の状態変化通知先に対して検出した状態変化を通知する通知手段と、
を備えたことを特徴とする動作監視装置。
【請求項３】
複数の紙葉類処理機の状態変化の種類別の通知先を登録する登録手段と、
前記複数の紙葉類処理機と接続し、前記複数の紙葉類処理機の状態変化を監視する監視手段と、
前記監視手段による前記複数の紙葉類処理機の中の所定の紙葉類処理機の所定の状態変化の検出に基づき、前記登録手段により登録された前記所定の紙葉類処理機の所定の状態変化の通知先に対して検出した所定の状態変化を通知する通知手段と、
を備えたことを特徴とする動作監視装置。
【請求項４】
紙葉類処理機と、前記紙葉類処理機の状態変化を監視する動作監視装置と、前記紙葉類処理機の状態変化を出力する状態変化出力装置とがネットワーク接続可能な紙葉類処理システムであって、
前記動作監視装置は、
前記紙葉類処理機の状態変化通知先となる前記状態変化出力装置のアドレスを登録する登録手段と、
前記紙葉類処理機の状態変化を監視する監視手段と、
前記監視手段による前記紙葉類処理機の状態変化の検出に基づき、前記登録手段により登録された前記状態変化出力装置のアドレスに対して、検出した状態変化を通知する通知手段と、
を備え、
前記状態変化出力装置は、
前記動作監視装置に対して自身のアドレスを送信するとともに、前記動作監視装置に対して状態変化通知の登録を要求する登録要求手段と、
前記動作監視装置から通知される状態変化を受信し、受信した状態変化を出力する出力手段と、
を備えたことを特徴とする紙葉類処理システム。
【請求項５】
第１及び第２の紙葉類処理機と、前記第１及び第２の紙葉類処理機の状態変化を監視する動作監視装置と、前記第１及び第２の紙葉類処理機の状態変化を出力する第１及び第２の状態変化出力装置とがネットワーク接続可能な紙葉類処理システムであって、
前記動作監視装置は、
前記第１の紙葉類処理機の状態変化通知先となる前記第１の状態変化出力装置の第１のアドレス、及び前記第２の紙葉類処理機の状態変化通知先となる前記第２の状態変化出力装置の第２のアドレスを登録する登録手段と、
前記第１及び第２の紙葉類処理機の状態変化を監視する監視手段と、
前記監視手段による前記第１の紙葉類処理機の状態変化の検出に基づき、前記登録手段により登録された前記第１の状態変化出力装置の前記第１のアドレスに対して検出した状態変化を通知し、前記監視手段による前記第２の紙葉類処理機の状態変化の検出に基づき、前記登録手段により登録された前記第２の状態変化出力装置の前記第２のアドレスに対して検出した状態変化を通知する通知手段と、
を備え、
前記第１の状態変化出力装置は、
前記動作監視装置に対して自身の前記第１のアドレスを送信するとともに、前記動作監視装置に対して前記第１の紙葉類処理機の状態変化通知の登録を要求する第１の登録要求手段と、
前記動作監視装置から通知される状態変化を受信し、受信した状態変化を出力する第１の出力手段と、
を備え、
前記第２の状態変化出力装置は、
前記動作監視装置に対して自身の前記第２のアドレスを送信するとともに、前記動作監視装置に対して前記第２の紙葉類処理機の状態変化通知の登録を要求する第２の登録要求手段と、
前記動作監視装置から通知される状態変化を受信し、受信した状態変化を出力する第２の出力手段と、
を備えたことを特徴とする紙葉類処理システム。
【請求項６】
第１及び第２の紙葉類処理機と、前記第１及び第２の紙葉類処理機の状態変化を監視する動作監視装置と、前記第１及び第２の紙葉類処理機の状態変化を出力する第１及び第２の状態変化出力装置とがネットワーク接続可能な紙葉類処理システムであって、
前記動作監視装置は、
前記第１及び第２の紙葉類処理機の第１の状態変化の通知先となる前記第１の状態変化出力装置の第１のアドレス、前記第１及び第２の紙葉類処理機の第２の状態変化の通知先となる前記第２の状態変化出力装置の第２のアドレスを登録する登録手段と、
前記第１及び第２の紙葉類処理機の状態変化を監視する監視手段と、
前記監視手段による前記第１又は第２の紙葉類処理機の前記第１の状態変化の検出に基づき、前記登録手段により登録された前記第１の状態変化出力装置の前記第１のアドレスに対して検出した第１の状態変化を通知し、前記監視手段による前記第１又は第２の紙葉類処理機の前記第２の状態変化の検出に基づき、前記登録手段により登録された前記第２の状態変化出力装置の前記第２のアドレスに対して検出した第２の状態変化を通知する通知手段と、
を備え、
前記第１の状態変化出力装置は、
前記動作監視装置に対して自身の前記第１のアドレスを送信するとともに、前記動作監視装置に対して第１の状態変化通知の登録を要求する第１の登録要求手段と、
前記動作監視装置から通知される第１の状態変化を受信し、受信した第１の状態変化を出力する第１の出力手段と、
を備え、
前記第２の状態変化出力装置は、
前記動作監視装置に対して自身の第２のアドレスを送信するとともに、前記動作監視装置に対して第２の状態変化通知の登録を要求する第２の登録要求手段と、
前記動作監視装置から通知される第２の状態変化を受信し、受信した第２の状態変化を出力する第２の出力手段と、
を備えたことを特徴とする紙葉類処理システム。
【発明の詳細な説明】
【技術分野】
【０００１】
本発明は、例えば、紙葉類などを自動的に区分処理する紙葉類処理機が複数台設置された環境下において、これら複数台の紙葉類処理機の動作状態などを監視する動作監視装置に関する。
【０００２】
また、本発明は、例えば、紙葉類などを自動的に区分処理する複数台の紙葉類処理機、これら複数台の紙葉類処理機の動作状態などを監視する動作監視装置、及び動作監視装置による監視結果を出力表示する状態変化出力装置（例えばモニタ装置）がネットワーク接続可能な紙葉類処理システムに関する。
【背景技術】
【０００３】
近年、紙葉類処理の自動化が進み、これに伴い紙葉類処理に関する各種技術が開示されている。例えば紙葉類などを自動的に区分処理する紙葉類処理機、及び紙葉類処理機の動作状態などを監視する監視モニタに関する技術が開示されている（特許文献１参照）。
【０００４】
紙葉類などを自動的に区分処理する紙葉類処理機などの自動化機器を安定に稼動させるためには、オペレータによる故障保守が必要である。これに伴い紙葉類処理機などの自動化機器には、たとえば、故障（紙葉類のジャムなど）で稼動を停止した号機を保守員室に通知する監視モニタが存在する。この監視モニタは、サーバに対して定期的に情報を要求して、取得した情報を基に表示内容を更新する。
【特許文献１】特開２００１−２４３５１８
【発明の開示】
【発明が解決しようとする課題】
【０００５】
しかしながら、従来は、監視モニタからサーバに対して定期的に情報を要求して、取得した情報を基に表示内容を更新していたため、リアルタイム性に欠け、タイムリーにオペレータに対して状態を伝えることができなかった。また、リアルタイム性を上げようと周期を短くするとサーバの負荷が増大し、システム全体の性能低下を招いていた。
【０００６】
本発明の目的は、上記課題を解決するためになされたものであり、システムの負荷を過剰に増加させることなく監視結果報告のリアルタイム性に優れた動作監視装置を提供することにある。
【０００７】
また、本発明の目的は、上記課題を解決するためになされたものであり、システムの負荷を過剰に増加させることなく監視結果報告のリアルタイム性に優れた紙葉類処理システムを提供することにある。
【課題を解決するための手段】
【０００８】
この発明の動作監視装置及び紙葉類処理システムは、以下のように構成されている。
【０００９】
（１）この発明の動作監視装置は、紙葉類処理機の状態変化通知先を登録する登録手段と、前記紙葉類処理機と接続し、紙葉類処理機の状態変化を監視する監視手段と、前記監視手段による前記紙葉類処理機の状態変化の検出に基づき、前記登録手段により登録された状態変化通知先に対して検出した状態変化を通知する通知手段とを備えている。
【００１０】
（２）この発明の紙葉類処理システムは、紙葉類処理機と、前記紙葉類処理機の状態変化を監視する動作監視装置と、前記紙葉類処理機の状態変化を出力する状態変化出力装置とがネットワーク接続可能な紙葉類処理システムであって、前記動作監視装置は、前記紙葉類処理機の状態変化通知先となる前記状態変化出力装置のアドレスを登録する登録手段と、前記紙葉類処理機の状態変化を監視する監視手段と、前記監視手段による前記紙葉類処理機の状態変化の検出に基づき、前記登録手段により登録された前記状態変化出力装置のアドレスに対して、検出した状態変化を通知する通知手段とを備え、前記状態変化出力装置は、前記動作監視装置に対して自身のアドレスを送信するとともに、前記動作監視装置に対して状態変化通知の登録を要求する登録要求手段と、前記動作監視装置から通知される状態変化を受信し、受信した状態変化を出力する出力手段とを備えている。
【００１１】
（３）この発明の紙葉類処理システムは、第１及び第２の紙葉類処理機と、前記第１及び第２の紙葉類処理機の状態変化を監視する動作監視装置と、前記第１及び第２の紙葉類処理機の状態変化を出力する第１及び第２の状態変化出力装置とがネットワーク接続可能な紙葉類処理システムであって、前記動作監視装置は、前記第１の紙葉類処理機の状態変化通知先となる前記第１の状態変化出力装置の第１のアドレス、及び前記第２の紙葉類処理機の状態変化通知先となる前記第２の状態変化出力装置の第２のアドレスを登録する登録手段と、前記第１及び第２の紙葉類処理機の状態変化を監視する監視手段と、前記監視手段による前記第１の紙葉類処理機の状態変化の検出に基づき、前記登録手段により登録された前記第１の状態変化出力装置の前記第１のアドレスに対して検出した状態変化を通知し、前記監視手段による前記第２の紙葉類処理機の状態変化の検出に基づき、前記登録手段により登録された前記第２の状態変化出力装置の前記第２のアドレスに対して検出した状態変化を通知する通知手段とを備え、前記第１の状態変化出力装置は、前記動作監視装置に対して自身の前記第１のアドレスを送信するとともに、前記動作監視装置に対して前記第１の紙葉類処理機の状態変化通知の登録を要求する第１の登録要求手段と、前記動作監視装置から通知される状態変化を受信し、受信した状態変化を出力する第１の出力手段とを備え、前記第２の状態変化出力装置は、前記動作監視装置に対して自身の前記第２のアドレスを送信するとともに、前記動作監視装置に対して前記第２の紙葉類処理機の状態変化通知の登録を要求する第２の登録要求手段と、前記動作監視装置から通知される状態変化を受信し、受信した状態変化を出力する第２の出力手段とを備えている。
【００１２】
（４）この発明の紙葉類処理システムは、第１及び第２の紙葉類処理機と、前記第１及び第２の紙葉類処理機の状態変化を監視する動作監視装置と、前記第１及び第２の紙葉類処理機の状態変化を出力する第１及び第２の状態変化出力装置とがネットワーク接続可能な紙葉類処理システムであって、前記動作監視装置は、前記第１及び第２の紙葉類処理機の第１の状態変化の通知先となる前記第１の状態変化出力装置の第１のアドレス、前記第１及び第２の紙葉類処理機の第２の状態変化の通知先となる前記第２の状態変化出力装置の第２のアドレスを登録する登録手段と、前記第１及び第２の紙葉類処理機の状態変化を監視する監視手段と、前記監視手段による前記第１又は第２の紙葉類処理機の前記第１の状態変化の検出に基づき、前記登録手段により登録された前記第１の状態変化出力装置の前記第１のアドレスに対して検出した第１の状態変化を通知し、前記監視手段による前記第１又は第２の紙葉類処理機の前記第２の状態変化の検出に基づき、前記登録手段により登録された前記第２の状態変化出力装置の前記第２のアドレスに対して検出した第２の状態変化を通知する通知手段とを備え、前記第１の状態変化出力装置は、前記動作監視装置に対して自身の前記第１のアドレスを送信するとともに、前記動作監視装置に対して第１の状態変化通知の登録を要求する第１の登録要求手段と、前記動作監視装置から通知される第１の状態変化を受信し、受信した第１の状態変化を出力する第１の出力手段とを備え、前記第２の状態変化出力装置は、前記動作監視装置に対して自身の第２のアドレスを送信するとともに、前記動作監視装置に対して第２の状態変化通知の登録を要求する第２の登録要求手段と、前記動作監視装置から通知される第２の状態変化を受信し、受信した第２の状態変化を出力する第２の出力手段とを備えている。
【発明の効果】
【００１３】
本発明によれば、システムの負荷を過剰に増加させることなく監視結果報告のリアルタイム性に優れた動作監視装置を提供できる。
【００１４】
また、本発明によれば、システムの負荷を過剰に増加させることなく監視結果報告のリアルタイム性に優れた紙葉類処理システムを提供できる。
【発明を実施するための最良の形態】
【００１５】
以下、図面を参照し、本発明の実施形態について説明する。
【００１６】
図１、図２、図３は、本発明の実施形態に係る紙葉類処理システムの概略構成を示す図である。図１、図２、図３に示すように、紙葉類処理システムは、複数台（ｎ台）の紙葉類処理機１ａ、１ｂ、…、１ｎ、サーバ２、複数台（Ｎ台）の監視モニタ装置３Ａ、３Ｂ、…、３Ｎを備え、夫々がネットワークにより接続可能となっている。
【００１７】
図１は、紙葉類処理機１ａ、１ｂ、…、１ｎの動作状態の変化をサーバ２が監視し、サーバ２が監視結果を監視モニタ装置３Ａ、３Ｂ、…、３Ｎへ通知する様子を示す図であり、図２及び図３は、紙葉類処理機１ａ、１ｂ、…、１ｎ、サーバ２、監視モニタ装置３Ａ、３Ｂ、…、３Ｎがネットワーク接続された様子を示す図である。特に、図２は、紙葉類処理機１ａ、１ｂ、…、１ｎと監視モニタ装置３Ａ、３Ｂ、…、３Ｎとが別々のエリアに設置された様子を示し、図３は、紙葉類処理機１ａと監視モニタ装置３Ａとが同一エリアに設置され（互いが近くに設置され）、紙葉類処理機１ｂと監視モニタ装置３Ｂとが同一エリアに設置され（互いが近くに設置され）、紙葉類処理機１ｃと監視モニタ装置３Ｃとが同一エリアに設置された様子を示す。
【００１８】
紙葉類処理機１ａ、１ｂ、…、１ｎは、ネットワークと接続するネットワークＩ／Ｆを備えており、ネットワークＩ／Ｆを介して自身の状態（運転開始/停止、バッチ処理完了等）を外部（サーバ２）へ通知する。
【００１９】
サーバ２は、複数の紙葉類処理機１ａ、１ｂ、…、１ｎで発生した状態変化(動作状態、処理結果等)を保存・管理するものである。このサーバ２は、例えば、状態変化監視処理部２１（ネットワークＩ／Ｆを含む）、データベース２２、状態変化通知処理部２３（ネットワークＩ／Ｆを含む）、状態変化通知先登録部２４を備えている。状態変化監視処理部２１は、ネットワークＩ／Ｆを介して、各紙葉類処理機１と接続可能に構成されている。同様に、状態変化通知処理部２３も、ネットワークＩ／Ｆを介して、各監視モニタ装置３Ａ、３Ｂ、…、３Ｎと接続可能に構成されている。
【００２０】
監視モニタ装置３Ａ、３Ｂ、…、３Ｎは、キーボードなどの入力部３１、ネットワークと接続するネットワークＩ／Ｆ３２を備えている。
【００２１】
次に、上記した紙葉類処理システムによる監視処理の概要について説明する。
【００２２】
監視モニタ装置３Ａ、３Ｂ、…、３Ｎは、ネットワークに接続し、サーバ２に対して自身のアドレス（例えばＩＰアドレス）を送信するとともに、サーバ２に対して状態変化通知の登録を要求する。具体的には、オペレータが、監視モニタ装置３Ａ、３Ｂ、…、３Ｎの入力部３１を介して、状態変化通知の登録を要求すると、これに対応して、監視モニタ装置３Ａ、３Ｂ、…、３Ｎのアドレスがサーバ２に対して送信される。その後は、監視モニタ３Ａ、３Ｂ、…、３Ｎは、起動時に、サーバ２(状態変化通知処理部２３)に状態変化通知を依頼することとなる。
【００２３】
サーバ２は、監視モニタ装置３Ａ、３Ｂ、…、３Ｎからの状態変化通知の登録要求及びアドレスを受信し、サーバ２の状態変化通知先登録部２４が、紙葉類処理機１ａ、１ｂ、…、１ｎの状態変化通知先となる監視モニタ装置３Ａ、３Ｂ、…、３Ｎのアドレスを登録する。サーバ２の状態変化監視処理部２１は、紙葉類処理機１ａ、１ｂ、…、１ｎの状態変化を監視し、サーバ２のデータベース２２は、紙葉類処理機１ａ、１ｂ、…、１ｎから送信される情報を保存する。状態変化通知処理部２３は、状態変化監視処理部２１による紙葉類処理機１ａ、１ｂ、…、１ｎの状態変化の検出に基づき、データベース２２から必要な情報を検索し、状態変化通知先登録部２４により登録された監視モニタ装置３Ａ、３Ｂ、…、３Ｎのアドレスに対して、検出した状態変化を通知する。
【００２４】
監視モニタ装置３Ａ、３Ｂ、…、３Ｎは、サーバ２から通知される状態変化を受信し、監視モニタ装置３Ａ、３Ｂ、…、３Ｎは受信した状態変化を表示する（受信した内容に応じて表示を更新する）。オペレータは、監視モニタ装置３Ａ、３Ｂ、…、３Ｎを見ることにより、各紙葉類処理機１ａ、１ｂ、…、１ｎの状態を把握することができる。
【００２５】
以上により、１台の監視モニタ装置が１台の紙葉類処理機の状態変化を表示することもできるし、１台の監視モニタ装置が複数台の紙葉類処理機の状態変化を表示することもできる。
【００２６】
次に、上記した紙葉類処理システムによる監視処理の具体例１について説明する。この具体例１では、指定された監視モニタ装置に対して指定された紙葉類処理機の状態変化を表示する監視処理について説明する。
【００２７】
監視モニタ装置３Ａ、３Ｂ、…、３Ｎは、ネットワークに接続し、サーバ２に対して自身のアドレス（例えばＩＰアドレス）を送信するとともに、サーバ２に対して所定の紙葉類処理機の状態変化通知の登録を要求する。具体的には、オペレータが、監視モニタ装置３Ａの入力部３１を介して、紙葉類処理機１ａの状態変化通知の登録を要求すると、これに対応して、監視モニタ装置３ＡのアドレスＡがサーバ２に対して送信される。さらに、オペレータが、監視モニタ装置３Ｂの入力部３１を介して、紙葉類処理機１ｂの状態変化通知の登録を要求すると、これに対応して、監視モニタ装置３ＢのアドレスＢがサーバ２に対して送信される。
【００２８】
サーバ２は、監視モニタ装置３Ａからの紙葉類処理機１ａの状態変化通知の登録要求及びアドレスＡを受信し、サーバ２の状態変化通知先登録部２４が、紙葉類処理機１ａの状態変化通知先となる監視モニタ装置３ＡのアドレスＡを登録する。同様に、サーバ２は、監視モニタ装置３Ｂからの紙葉類処理機１ｂの状態変化通知の登録要求及びアドレスＢを受信し、サーバ２の状態変化通知先登録部２４が、紙葉類処理機１ｂの状態変化通知先となる監視モニタ装置３ＢのアドレスＢを登録する。
【００２９】
サーバ２の状態変化監視処理部２１は、紙葉類処理機１ａ、１ｂ、…、１ｎの状態変化を監視する。状態変化通知処理部２３は、状態変化監視処理部２１による紙葉類処理機１ａの状態変化の検出に基づき、状態変化通知先登録部２４により登録された監視モニタ装置３ＡのアドレスＡに対して、検出した状態変化を通知する。同様に、状態変化通知処理部２３は、状態変化監視処理部２１による紙葉類処理機１ｂの状態変化の検出に基づき、状態変化通知先登録部２４により登録された監視モニタ装置３ＢのアドレスＢに対して、検出した状態変化を通知する。
【００３０】
監視モニタ装置３Ａは、サーバ２から通知される紙葉類処理機１ａの状態変化を受信し、受信した状態変化を表示する。同様に、監視モニタ装置３Ｂは、サーバ２から通知される紙葉類処理機１ｂの状態変化を受信し、受信した状態変化を表示する。
【００３１】
以上により、特定の監視モニタ装置が特定の紙葉類処理装置（１台の紙葉類処理装置であってもよいし、複数台の紙葉類処理装置であってもよい）の状態変化を表示することができる。しかも、監視モニタ装置をネットワークに接続し条件設定するだけで（監視対象の紙葉類処理装置を特定するだけで）、監視態勢が整う。上記のケースでは、監視モニタ装置３Ａ、３Ｂを異なるエリアに設置し、あるオペレータが監視モニタ装置３Ａを監視し、別のオペレータが監視モニタ３Ｂを監視するようにしてもよいし、また監視モニタ装置３Ａ、３Ｂを同じエリアに設置し（監視モニタ装置３Ａ、３Ｂを近くに設置し）、一人のオペレータが監視モニタ装置３Ａ、３Ｂを監視するようにしてもよい。
【００３２】
次に、上記した紙葉類処理システムによる監視処理の具体例２について説明する。この具体例２では、状態変化の種類別に表示先の監視モニタ装置が選択される監視処理について説明する。
【００３３】
監視モニタ装置３Ａ、３Ｂ、…、３Ｎは、ネットワークに接続し、サーバ２に対して自身のアドレス（例えばＩＰアドレス）を送信するとともに、サーバ２に対して所定の状態変化通知の登録を要求する。具体的には、オペレータが、監視モニタ装置３Ａの入力部３１を介して、第１の状態変化通知の登録を要求すると、これに対応して、監視モニタ装置３ＡのアドレスＡがサーバ２に対して送信される。さらに、オペレータが、監視モニタ装置３Ｂの入力部３１を介して、第２の状態変化通知の登録を要求すると、これに対応して、監視モニタ装置３ＢのアドレスＢがサーバ２に対して送信される。
【００３４】
サーバ２は、監視モニタ装置３Ａからの第１の状態変化通知の登録要求及びアドレスＡを受信し、サーバ２の状態変化通知先登録部２４が、第１の状態変化通知先となる監視モニタ装置３ＡのアドレスＡを登録する。同様に、サーバ２は、監視モニタ装置３Ｂからの第２の状態変化通知の登録要求及びアドレスＢを受信し、サーバ２の状態変化通知先登録部２４が、第２の状態変化通知先となる監視モニタ装置３ＢのアドレスＢを登録する。
【００３５】
サーバ２の状態変化監視処理部２１は、紙葉類処理機１ａ、１ｂ、…、１ｎの状態変化を監視する。状態変化通知処理部２３は、状態変化監視処理部２１による各紙葉類処理機１ａ、１ｂ、…、１ｎにおける第１の状態変化の検出に基づき、状態変化通知先登録部２４により登録された監視モニタ装置３ＡのアドレスＡに対して、第１の状態変化が生じた紙葉類処理機を特定する情報（例えば号機番号）及び第１の状態変化を通知する。同様に、状態変化通知処理部２３は、状態変化監視処理部２１による各紙葉類処理機１ａ、１ｂ、…、１ｎにおける第２の状態変化の検出に基づき、状態変化通知先登録部２４により登録された監視モニタ装置３ＢのアドレスＢに対して、第２の状態変化が生じた紙葉類処理機を特定する情報（例えば号機番号）及び第２の状態変化を通知する。
【００３６】
監視モニタ装置３Ａは、サーバ２から通知される第１の状態変化が生じた紙葉類処理機を特定する情報（例えば号機番号）及び第１の状態変化を受信し、受信した第１の状態変化が生じた紙葉類処理機を特定する情報（例えば号機番号）及び第１の状態変化状態変化を表示する。同様に、監視モニタ装置３Ｂは、サーバ２から通知される第２の状態変化が生じた紙葉類処理機を特定する情報（例えば号機番号）及び第２の状態変化を受信し、受信した第２の状態変化が生じた紙葉類処理機を特定する情報（例えば号機番号）及び第２の状態変化状態変化を表示する。
【００３７】
以上により、特定の状態変化を特定の監視モニタ装置に表示することができる。しかも、監視モニタ装置をネットワークに接続し条件設定するだけで（監視対象の状態変化を特定するだけで）、監視態勢が整う。上記のケースでは、監視モニタ装置３Ａ、３Ｂを異なるエリアに設置し、あるオペレータが監視モニタ装置３Ａを監視し、別のオペレータが監視モニタ３Ｂを監視するようにしてもよいし、また監視モニタ装置３Ａ、３Ｂを同じエリアに設置し（監視モニタ装置３Ａ、３Ｂを近くに設置し）、一人のオペレータが監視モニタ装置３Ａ、３Ｂを監視するようにしてもよい。
【００３８】
上記説明した実施形態により、複数の紙葉類処理機から構成される紙葉類処理システムにおいて、各機器の動作状態を表示する監視モニタ装置に対して、各機器で発生した状態変化を受信し保存・管理するデータベース・サーバから状態変化を通知して監視モニタの画面表示を更新することにより、リアルタイム性能を改善し、オペレータに対してタイムリーに状態を伝えることができ、通信量を最小限に抑えることが可能となる。また、複数の監視モニタ装置を設置した場合に、サーバの負荷を軽減でき、各監視モニタ装置の表示内容を一致させることも可能となる。
【００３９】
本実施形態の作用効果をまとめると以下の通りである。
【００４０】
（１）監視モニタ装置のリアルタイム性能が向上する。
【００４１】
（２）監視モニタ装置の表示内容を更新するための通信量を最小限に抑えることができる。
【００４２】
（３）複数の監視モニタ装置を設置した場合に、サーバの負荷を最小限に抑えることができる。
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４４】
【図１】本発明の実施形態に係る紙葉類処理システムの概略構成を示す図であって、紙葉類処理機の動作状態の変化をサーバが監視し、サーバが監視結果を監視モニタ装置へ通知する様子を示す図である。
【図２】本発明の実施形態に係る紙葉類処理システムの概略構成を示す図であって、紙葉類処理機、サーバ、監視モニタ装置がネットワーク接続され、且つ紙葉類処理機と監視モニタ装置とが別々のエリアに設置された様子を示す図である。
【図３】本発明の実施形態に係る紙葉類処理システムの概略構成を示す図であって、紙葉類処理機、サーバ、監視モニタ装置がネットワーク接続され、且つ一組の紙葉類処理機と監視モニタ装置とが同一エリアに設置された様子を示す図である。
【符号の説明】
【００４５】
１ａ、１ｂ、…、１ｎ…紙葉類処理機、２…サーバ、３Ａ、３Ｂ、…、３Ｎ…監視モニタ装置、２１…状態変化監視処理部、２２…データベース、２３…状態変化通知処理部、２４…状態変化通知先登録部、３１…入力部、３２…ネットワークＩ／Ｆ
【図１】
2008090530.tif 000003
【図２】
2008090530.tif 000004
【図３】
2008090530.tif 000005